(57)【要約】      （修正有）【課題】頭髪をブラッシングするだけできめ細かな泡を発生させることができる洗髪用ブラシを提供する。【解決手段】下ケースの底板３にブラシ８を下向きに形成すると共に前記底板３に泡吐出口５と液体石けん注入口６を形成し、更に前記底板３の周縁から上向きに側板４を形成する。更に、前記下ケースを組み付けることにより上ケース９の内部にスポンジ収容室１２を形成し、このスポンジ収容室１２内にスポンジ１４を組み込む。この構成において、ブラシ８を頭に押しつけると、下ケースが上昇してスポンジ１４を圧縮することにより泡が発生し、この泡は泡吐出口５，５aから外に吐出して頭髪及び頭皮の汚れを洗い落とす。【選択図】図３
0003149903.tif 000002
【実用新案登録請求の範囲】
【請求項１】
ａ．底板にブラシを下向きに形成すると共に前記底板に泡吐出口と液体石けん注入口を形成し、更に前記底板の周縁から上向きに側板を形成して成る下ケースと、
ｂ．天板から下方に向けて側板を形成することにより前記下ケースと組み合わせて内部にスポンジ収容室を形成すると共に下ケースに負荷がかかると下ケースが上昇してスポンジ収容室の容積を縮小し、無負荷時には弾性材の作用により下ケースを押し下げてスポンジ収容室の容積を拡大するように形成した上ケースと、
ｃ．前記スポンジ収容室内に収容された泡立て用のスポンジと、
ｄ．から成る洗髪用ブラシ。
【請求項２】
前記下ケースの側板を復元力を有するジャバラで構成し、このジャバラの復元力で無負荷時には下ケースが下降してスポンジ収容室の容積を拡大するように構成して成る請求項１に記載の洗髪用ブラシ。
【請求項３】
前記上ケースのスポンジ収容室内にスプリングを組み付け、このスプリングの弾撥作用により無負荷時には下ケースが下降してスポンジ収容室の容積を拡大するように構成して成る請求項１に記載の洗髪用ブラシ。
【請求項４】
前記泡吐出口をブラシ側に形成して成る請求項１に記載の洗髪用ブラシ。
【請求項５】
前記泡吐出口を下ケースの底板とブラシの双方に形成して成る請求項１に記載の洗髪用ブラシ。
【請求項６】
前記スプリングをコイルスプリング又は板バネにより形成して成る請求項３に記載の洗髪用ブラシ。
【考案の詳細な説明】
【技術分野】
【０００１】
本考案は、洗髪あるいは頭皮のマッサージ時に液体石けんあるいは育毛液等を泡立ててブラシ内から吐出させることができる洗髪用ブラシに関する。
【背景技術】
【０００２】
毛髪を梳く際に、育毛剤を塗布したりする櫛として、特開２００４−３５７７４０号公報には、次のような内容のものが紹介されている。
【０００３】
塗布剤流路に残留した塗布剤を容易に除去することのできる塗布剤除去具を備えた塗布具及び塗布具付吐出容器として、塗布具２は、収容された染毛剤を外部へ吐出する収容容器８３に装着して用いられるものであり、染毛剤を塗布するための櫛歯部３０と、収容容器８３から吐出された染毛剤を櫛歯部３０へ誘導する本体内連絡路４２、第２の櫛歯内連通路３４及び第１の櫛歯内連通路３３とが形成されている。そして、この塗布具２は、外部操作により本体内連通路４２内を移動することで本体内連通路４２に残留する染毛剤を除去する染毛剤除去具５０を備えた構成である。
【０００４】
しかし、この塗布具は、染毛剤を塗布するのが目的であるため、泡立てて使用する液体石けんを用いた洗髪用には役立たない。  
【０００５】
一方、特開２００４−１１３２８７号公報には液体石けん等の泡立て器として、次のような内容のものが紹介されている
【０００６】
この内容は、クリーム状や液体状石けん等の洗浄剤から豊富で泡立ちの良い泡を簡単に作り出すことができ、特に、片手等による容易な泡立て作業が行える簡易な構成の洗浄剤の泡立て器として、上方が開口した容器１の少なくとも内壁面１ｂに、長さ又は硬さの異なる二種以上の泡立て用のブラシＢ１（Ｂａ）、Ｂ２（Ｂｂ）、Ｂ３（Ｂｃ）がその位置を異ならせて所定幅で植毛され、この容器１に洗浄剤と必要に応じて水や湯が入れられて使用される。前記長さの異なる内壁面のブラシは、少なくとも長さの短い又は硬さの硬いブラシＢ１（Ｂａ）が容器１内側の底面１ａの側に所定幅で植毛されていることを特徴とするものである。
【先行技術文献】
【特許文献】
【０００７】
【特許文献１】特開２００４−３５７７４０号
【特許文献２】特開２００４−１１３２８７号
【考案の概要】
【考案が解決しようとする課題】
【０００８】
しかし、上記泡立て器の場合、泡立ちの良い泡を簡単に作り出すことはできても、洗髪の際はこの泡を手に受けて、手で洗髪する必要がある。
【０００９】
このため、特に毛根や頭皮を爪で傷つけたりという問題がある。
【００１０】
本考案の目的は、泡立ちが良く、毛根や頭皮を傷つけたりしない洗髪用ブラシを提供することである。
【課題を解決するための手段】
【００１１】
上記目的を達成するため、請求項１に記載の考案ではａ．底板にブラシを下向きに形成すると共に前記底板に泡吐出口と液体石けん注入口を形成し、更に前記底面の周縁から上向きに側板を形成して成る下ケースと、ｂ．天板から下方に向けて側板を形成することにより、前記下ケースと組み合わせて内部にスポンジ収容室を形成すると共に下ケースに負荷がかかると下ケースが上昇してスポンジ収容室の容積を縮小し、無負荷時には弾性材の作用により下ケースを押し下げてスポンジ収容室の容積を拡大するように形成した上ケースと、ｃ．前記スポンジ収容室内に収容された泡立て用のスポンジと、ｄ．から成る洗髪用ブラシを特徴とするものである。
【００１２】
この考案によると、ブラシを使用するだけでブラシ内から泡が発生するため、手で直接洗髪する必要がないと共に特に頭皮を痛めたりしない効果がある。
【００１３】
また、請求項２に記載の考案では、前記下ケースの側板を復元力を有するジャバラで構成し、このジャバラの復元力で無負荷時には下ケースが下降してスポンジ収容室の容積を拡大するように構成して成ること特徴とするものである。
【００１４】
また、請求項３に記載の考案では前記上ケースのスポンジ収容室内にスプリングを組み付け、このスプリングの弾撥作用により無負荷時には下ケースが下降してスポンジ収容室の容積を拡大するように構成して成ること特徴とするものである。
【００１５】
また、請求項４に記載の考案では前記泡吐出口をブラシ側に形成して成ること特徴とするものである。
【００１６】
また、請求項５に記載の考案では前記泡吐出口を下ケースの底板とブラシの双方に形成して成ること特徴とするものである。
【００１７】
また、請求項６に記載の考案では、前記スプリングをコイルスプリング又は板バネにより形成して成ること特徴とするものである。
【考案の効果】
【００１８】
本考案は、ブラシ本体の液体注入口からスポンジ収容室内に液体石けんを注入してスポンジに吸収させ、ブラシをそのまま手に持って頭に押し付けるようにして使用すると、下ケースは押し付けの力により上昇してスポンジを圧縮する。
【００１９】
この結果、スポンジに吸収された液体石けんは泡立ちながらスポンジ収容室内から内圧の作用で泡吐出孔からブラシの外に吐出し、頭髪及び頭皮に塗布される。
【００２０】
この状態でブラシを動かすと、泡立ちの良い液体石けんにより頭髪及び毛根や頭皮の汚れを良く洗い落すことができる。
【００２１】
また、ブラシの先端が頭皮に触れるため、マッサージ効果も併せて得ることができると共にブラシが弾力的に上下動することにより頭皮に強く当ることもなく、頭皮を傷つけたりする心配もない。
【図面の簡単な説明】
【００２２】
【図１】本考案に係る洗髪用ブラシの説明図である。
【図２】本考案に係る洗髪用ブラシをブラシ側から見た説明図である。
【図３】Ａ−Ａ´線断面図の説明図である。
【図４】泡吐出孔の説明図である。
【図５】ジャバラ式ブラシの説明図である。
【図６】板バネにより下ケースが出入り自在に形成されたブラシの説明図である。
【考案を実施するための形態】
【００２３】
本考案に係る洗髪用ブラシは、手に持って頭部に押し付けながら動かすだけで泡立ちの良い液体石けんがブラシ内から流出して頭髪や頭皮の汚れを落とすことができる。
【００２４】
泡立ちは、あらかじめスポンジに液体石けんを吸収させておき、頭部にブラシを押しつけるとスポンジが圧縮されて泡が発生し、ブラシに形成された泡吐出孔から外に吐出する。
【００２５】
ブラシの材質は、プラスチックがコスト的に有利であるが、その他の材質例えばアルミ材等で成形しても良い。但し、ブラシ部分は頭髪や頭皮を痛めないためにプラスチックか木製とすべきである。
【００２６】
スポンジはきめ細かな泡を作り出すために必須であり、プラスチックを素材としたもの、あるいはヘチマ等であっても良い。
【実施例１】
【００２７】
請求項１に記載した本考案の実施例を図１乃至図３に基づいて詳細に説明する。
【００２８】
符号の１はブラシ本体であって、このブラシ本体１は、下ケース２と上ケース９から成り、ともにプラスチックの射出成形品である。
【００２９】
更に詳しく下ケース２と上ケース９について説明すると、下ケース２は、正面視マユ形の底板３とこの底板３の周囲から直立させた側板４と、前記底板３の中央に形成した液体石けん注入口６と、この底板３には無数に穿設された底板３側の泡吐出孔５が形成されている。
【００３０】
そして、底板３の表面には、ブラシ８を無数に突出形成したブラシ部材７が接着剤で張り合わせてあり、このブラシ部材７の張り合わせ面には前記底板３側の泡吐出孔５に連通したブラシ側泡吐出孔５ａが形成されている。
【００３１】
なお、本実施例１において、下ケース２とブラシ部材７は別々に射出成形されているが、一体成形でも良い。
【００３２】
次に、上ケース９について説明すると、この上ケース９は前記底板３と同一形状の天面１０の周囲から下向きに側板１１が形成されていて、この側板１１の内側に下ケース２側の側板４が出入り自在に入り込んでおり、内部にスポンジ収容室１２が形成されている。
【００３３】
符号１３はスポンジ収容室１２内において、下ケース２と上ケース９間に組み付けられたコイルスプリングであって、このコイルスプリング１３により下ケース２は上ケース９から下向きに弾発されていて、下ケース２に上向きの負荷がかかると収縮して上ケース９内に向けて下ケース２の上昇を許容する。
【００３４】
１４は前記スポンジ収容室１２内に組み込まれた連続気泡から成るスポンジであって、液体石けん注入口６から液体石けんを注入すると、この注入された液体石けんはスポンジ１４に吸収される。
【００３５】
以上の構成から成るブラシ本体１を頭部に押し付けると、下ケース２がコイルスプリング１３に抗して上ケース９内に押し上げられるため、図３の中心線から右側に示すようにスポンジ収容室１２内の容積が縮小してスポンジ１４が圧縮され、この圧縮の作用で泡が発生する。
【００３６】
このようにして発生した泡は、泡吐出孔５、５ａから吐出して、頭髪と頭皮の汚れを洗い出す。
【００３７】
そして、頭部に対する押し付けの変化により、スポンジ１４は圧縮と膨張を繰り返し、効率良くきめ細かい泡を発生する。
【実施例２】
【００３８】
本実施例２は、請求項２に記載した考案に対応する実施例であって、下ケース２の側板４をジャバラ（蛇腹）１５で形成し、このジャバラ１５の作用で下ケース２に復元力を付与したもので、実施例１のコイルスプリング１３は本実施例２では不要であるが、ジャバラ１５に復元力がない場合には必要である。上ケース９内にはジャバラ１５の係合縁１６を係合させてジャバラ１５の上端を固定するための固定縁１７が形成されている。
【００３９】
ジャバラ１５の材質はブラシ８側と同質のプラスチックでも良いが、柔軟性と復元性を担保するために、ブラシ８側に対してこれよりも柔軟性を有するプラスチックを用いた二色成形体としても良い。
【００４０】
あるいは、ジャバラ１５を別に成形し、あとからブラシ部材７に組み付ける構成としても良い。
【００４１】
なお、スポンジ１４の弾揆力（復元力）が強い場合には、スプリング力を利用せずにこの復元力だけで下ケース２を下降させるようにしても良い。
【実施例３】
【００４２】
本実施例３は、請求項４、５に記載した考案に対応するもので泡吐出孔５ｂをブラシ８に形成し、底板３とブラシ８の双方から泡が吐出するように形成した例であって、図４にこの構成を示した。但し、ブラシ８側にのみ泡吐出孔５ｂを形成しても良く、この構成によると、育毛剤を利用して頭皮をマッサージするような場合に、育毛剤の泡が頭皮の直近で吐出するため特に有効である。
【実施例４】
【００４３】
本実施例は、請求項６に記載した考案に対応するもので、図６に示すように、実施例１のコイルスプリング１３に替えて板バネ１８を組み込んだ例であって、図６の中心線から右側に示すように板バネ１８は圧縮して蓄力されたのち図６において中心線から左側に示すように下ケース２を復元させることができる。
【産業上の利用可能性】
【００４４】
１．洗髪用ブラシ
２．育毛剤塗布用ブラシ
３．頭皮のマッサージ器
【符号の説明】
【００４５】
１．ブラシ本体
２．下ケース
３．底板
４．側板
５．泡吐出孔
６．液体石けん注入口
７．ブラシ部材
８．ブラシ
９．上ケース
１０．天面
１１．側板
１２．スポンジ収容室
１３．コイルスプリング
１４．板バネ
１５．ジャバラ
１６．係合縁
１７．固定縁
１８．板バネ
【図１】
0003149903.tif 000003
【図２】
0003149903.tif 000004
【図３】
0003149903.tif 000005
【図４】
0003149903.tif 000006
【図５】
0003149903.tif 000007
【図６】
0003149903.tif 000008